(57)【要約】【課題】調整用の画像を表示しなくともフリッカーの発生を抑えられるようにする。【解決手段】光センサー７１は、表示パネル１０の明るさを検知する。制御回路５２は、光センサー７１から出力される信号S1から表示パネル１０の明るさを検知し、コンデンサー７２で信号S1の直流成分をカットした信号から画素が正極性電圧を保持している時の実効電圧と負極性電圧を保持している時の実効電圧に差を得る。制御回路５２は、実効電圧の差が閾値以上となると、実効電圧の差が小さくなるように対向電極に印加する電圧を制御する。【選択図】図１
2012220632.tif 000002
【特許請求の範囲】
【請求項１】
複数の走査線と複数のデータ線との交差に対応してそれぞれ設けられ、各々は、前記走査線が選択されたときに、前記データ線に供給されたデータ信号の電圧に応じた階調となる画素を備えた表示領域を有し、該画素は、前記データ信号が印加される画素電極と、前記画素電極に対向する対向電極と、前記画素電極と前記対向電極との間に電気光学材料を狭持する電気光学装置であって、
前記画素の階調に応じた電圧であって所定の電位を基準として高位である正極性の電圧を前記データ信号として当該画素に対応するデータ線に供給する正極性フィールドと、前記画素の階調に応じた電圧であって所定の電位を基準として低位である負極性の電圧を前記データ信号として当該画素に対応するデータ線に供給する負極性フィールドのそれぞれにおいて、前記複数の走査線を所定の順番で選択する走査線駆動回路と、
前記正極性フィールドで一の走査線が選択された場合に、当該一の走査線に位置する画素に対し、当該画素の階調に応じた電圧を前記データ信号として当該画素に対応するデータ線に供給し、前記負極性フィールドで前記一の走査線が選択された場合に、前記一の走査線に位置する画素に対し、当該画素の階調に応じた電圧を前記データ信号として当該画素に対応するデータ線に供給するデータ線駆動回路と、
前記表示領域の明るさを検知して該明るさを表す信号を生成し、当該信号の直流成分を表す第１信号と、当該信号の交流成分を表す第２信号を生成する検出回路と、
前記検出回路が生成した第２信号の波形の波高が、前記検出回路が生成した第１信号に応じて定まる閾値以上である場合、当該波高が当該閾値未満となるように前記画素に対して前記正極性フィールドで印加される電圧の実効電圧と、前記負極性フィールドで印加される電圧の実効電圧との差を制御する制御回路
を備えることを特徴とする電気光学装置。
【請求項２】
前記制御回路は、
前記第１信号に応じて定まる前記閾値を少なくとも３つ有し、
前記第１信号の値が予め定められた第１設定値未満である場合には、前記閾値を第１閾値とし、
前記第１信号の値が前記第１設定値より大きい予め定められた第２設定値未満であり且つ前記第１設定値以上である場合には、前記閾値を前記第１閾値より大きい第３閾値とし、
前記第１信号の値が前記第２設定値以上である場合には、前記閾値を前記第１閾値より大きく且つ前記第３閾値より小さい第２閾値とすること
を特徴とする請求項１に記載の電気光学装置。
【請求項３】
前記制御回路は、前記第２信号の波高および前記第１信号から前記閾値を定めること
を特徴とする請求項１に記載の電気光学装置。
【請求項４】
前記制御回路は、前記対向電極に印加される電圧を制御することにより、前記画素に対して前記正極性フィールドで印加される電圧の実効電圧と、前記負極性フィールドで印加される電圧の実効電圧との差を制御すること
を特徴とする請求項１乃至請求項３のいずれかに記載の電気光学装置。
【請求項５】
前記制御回路は、前記正極性の電圧の印加時間と前記負極性の電圧の印加時間の比を制御することにより、前記画素に対して前記正極性フィールドで印加される電圧の実効電圧と、前記負極性フィールドで印加される電圧の実効電圧との差を制御すること
を特徴とする請求項１乃至請求項３のいずれかに記載の電気光学装置。
【請求項６】
前記制御回路は、前記対向電極に印加される電圧と、前記正極性の電圧の印加時間と前記負極性の電圧の印加時間の比を制御することにより、前記画素に対して前記正極性フィールドで印加される電圧の実効電圧と、前記負極性フィールドで印加される電圧の実効電圧との差を制御すること
を特徴とする請求項１乃至請求項３のいずれかに記載の電気光学装置。
【請求項７】
複数の走査線と複数のデータ線との交差に対応してそれぞれ設けられ、各々は、前記走査線が選択されたときに、前記データ線に供給されたデータ信号の電圧に応じた階調となる画素を備えた表示領域を有し、該画素は、前記データ信号が印加される画素電極と、前記画素電極に対向する対向電極と、前記画素電極と前記対向電極との間に電気光学材料を狭持する電気光学装置の制御方法であって、
正極性および負極性フィールドのそれぞれにおいて前記複数の走査線を所定の順番で選択し、
前記正極性フィールドで一の走査線が選択された場合に、当該一の走査線に位置する画素に対し、当該画素の階調に応じた電圧であって、所定の電位を基準として高位である正極性または低位である負極性のいずれか一方の極性の電圧を前記データ信号として当該画素に対応するデータ線に供給し、
前記負極性フィールドで前記一の走査線が選択された場合に、前記一の走査線に位置する画素に対し、当該画素の階調に応じた電圧であって、前記正極性または前記負極性のいずれか他方の極性の電圧を前記データ信号として当該画素に対応するデータ線に供給し、
前記表示領域の明るさを検知して該明るさを表す信号を生成し、当該信号の直流成分を表す第１信号と、当該信号の交流成分を表す第２信号を生成し、
前記第２信号の波形の波高が、前記第１信号に応じて定まる閾値以上である場合、当該波高が当該閾値未満となるように前記画素に対して前記正極性フィールドで印加される電圧の実効電圧と、前記負極性フィールドで印加される電圧の実効電圧との差を制御すること
を特徴とする電気光学装置の制御方法。
【請求項８】
請求項１乃至請求項６のいずれかに記載の電気光学装置を有することを特徴とする電子機器。
【発明の詳細な説明】
【技術分野】
【０００１】
本発明は、電気光学装置におけるフリッカーの発生を抑える技術に関する。
【背景技術】
【０００２】
液晶表示装置に用いられる液晶素子は、２つの電極で液晶を挟持する構成となっているが、直流成分が印加されると液晶が劣化してしまう。このため、液晶表示装置では、液晶素子を交流駆動するのが一般的である。ただし、交流駆動するだけでは、液晶に直流成分が印加される場合がある。具体的には、液晶表示装置においては、液晶層を挟む画素電極基板と、共通電極基板は物理的な構造が異なっており、共通電極から見て高位である正極性電圧が印加された場合と、共通電極から見て低位である負極性電圧が印加された場合とで、電極と配向膜との界面や配向膜と液晶層などの界面における抵抗値が異なってしまう。これにより、液晶表示装置においては、正極性電圧の印加時と負極性電圧の印加時とで液晶層への実効電圧が等しくても電流量が異なることとなり、電荷の移動量に非対象性が生じる。また、この電流量の非対称性により、液晶内部の電荷に偏りが生じ、電荷の偏りによって内部電界が発生する。この内部電界の影響により、実際に液晶層に印加される電圧は駆動電圧の極性によって非対称となり、液晶層に直流電圧成分が印加される。
【０００３】
液晶層にこの直流成分が印加されるとフリッカーが生じることとなるため、フリッカーを抑えるために共通電極の電圧を調整する技術がある。例えば特許文献１に開示されている液晶表示装置は、液晶素子に正極性電圧を印加した時の輝度と負極性電圧を印加した時の輝度との差に基づいて共通電極の電圧を調整する。
【先行技術文献】
【特許文献】
【０００４】
【特許文献１】特開２０１０−１９７９２８号公報
【発明の概要】
【発明が解決しようとする課題】
【０００５】
特許文献１に開示された液晶表示装置は、入力される画像が表示されるアクティブエリアの外側に光センサーを備えた画素を備えており、共通電極の電圧を調整する際には調整用の画像を光センサーを備える画素に表示させ、光センサーで画素の輝度を検出する。しかし、このような構成であると、光センサーを備えた液晶素子をアクティブエリアとは別に設けることとなり、装置の構造が複雑になる。また、アクティブエリアの表示とは別に調整用の画像を表示する必要がある。
【０００６】
本発明は、上述した事情に鑑みてなされたもので、その目的の１つは、調整用の画像を表示しなくともフリッカーの発生を抑えられるようにすることにある。
【課題を解決するための手段】
【０００７】
上記目的を達成するために、本発明に係る電気光学装置は、複数の走査線と複数のデータ線との交差に対応してそれぞれ設けられ、各々は、前記走査線が選択されたときに、前記データ線に供給されたデータ信号の電圧に応じた階調となる画素を備えた表示領域を有し、該画素は、前記データ信号が印加される画素電極と、前記画素電極に対向する対向電極と、前記画素電極と前記対向電極との間に電気光学材料を狭持する電気光学装置であって、前記画素の階調に応じた電圧であって所定の電位を基準として高位である正極性の電圧を前記データ信号として当該画素に対応するデータ線に供給する正極性フィールドと、前記画素の階調に応じた電圧であって所定の電位を基準として低位である負極性の電圧を前記データ信号として当該画素に対応するデータ線に供給する負極性フィールドのそれぞれにおいて、前記複数の走査線を所定の順番で選択する走査線駆動回路と、前記正極性フィールドで一の走査線が選択された場合に、当該一の走査線に位置する画素に対し、当該画素の階調に応じた電圧を前記データ信号として当該画素に対応するデータ線に供給し、前記負極性フィールドで前記一の走査線が選択された場合に、前記一の走査線に位置する画素に対し、当該画素の階調に応じた電圧を前記データ信号として当該画素に対応するデータ線に供給するデータ線駆動回路と、前記表示領域の明るさを検知して該明るさを表す信号を生成し、当該信号の直流成分を表す第１信号と、当該信号の交流成分を表す第２信号を生成する検出回路と、前記検出回路が生成した第２信号の波形の波高が、前記検出回路が生成した第１信号に応じて定まる閾値以上である場合、当該波高が当該閾値未満となるように前記画素に対して前記正極性フィールドで印加される電圧の実効電圧と、前記負極性フィールドで印加される電圧の実効電圧との差を制御する制御回路を備えることを特徴とする。
本発明によれば、正極性フィールドで印加される電圧の実効電圧と負極性フィールドで印加される電圧の実効電圧との差に応じて変化する表示領域の明るさから、正極性フィールドで印加される電圧の実効電圧と負極性フィールドで印加される電圧の実効電圧との差が検知される。また、実効電圧の差が閾値未満となるように正極性フィールドで印加される電圧の実効電圧と、前記負極性フィールドで印加される電圧の実効電圧との差が調整されるので、調整の為だけに使用する画像を表示領域に表示しなくともフリッカーの発生を抑えることができる。
【０００８】
本発明においては、前記制御回路は、前記第１信号に応じて定まる前記閾値を少なくとも３つ有し、前記第１信号の値が予め定められた第１設定値未満である場合には、前記閾値を第１閾値とし、前記第１信号の値が前記第１設定値より大きい予め定められた第２設定値未満であり且つ前記第１設定値以上である場合には、前記閾値を前記第１閾値より大きい第３閾値とし、前記第１信号の値が前記第２設定値以上である場合には、前記閾値を前記第１閾値より大きく且つ前記第３閾値より小さい第２閾値とする構成としてもよい。
この構成によれば、表示領域の明るさに応じてより適切に閾値を定めることが可能となり、実効電圧の差が閾値未満となるように正極性フィールドで印加される電圧の実効電圧と、負極性フィールドで印加される電圧の実効電圧との差を調整してフリッカーの発生を抑えることができる。
【０００９】
本発明においては、前記制御回路は、前記第２信号の波高および前記第１信号から前記閾値を定める構成としてもよい。
この構成によれば、より適切に閾値を定めることが可能となり、実効電圧の差が閾値未満となるように正極性フィールドで印加される電圧の実効電圧と、負極性フィールドで印加される電圧の実効電圧との差を調整してフリッカーの発生を抑えることができる。
【００１０】
また本発明においては、前記制御回路は、前記対向電極に印加される電圧を制御することにより、前記画素に対して前記正極性フィールドで印加される電圧の実効電圧と、前記負極性フィールドで印加される電圧の実効電圧との差を制御する構成としてもよい。
この構成によれば、対向電極の電位を調整することにより、正極性フィールドで印加される電圧の実効電圧と、負極性フィールドで印加される電圧の実効電圧との差が調整され、フリッカーの発生を抑えることができる。
【００１１】
また本発明においては、前記制御回路は、前記正極性の電圧の印加時間と前記負極性の電圧の印加時間の比を制御することにより、前記画素に対して前記正極性フィールドで印加される電圧の実効電圧と、前記負極性フィールドで印加される電圧の実効電圧との差を制御する構成としてもよい。
この構成によれば、印加時間の比を調整することにより、正極性フィールドで印加される電圧の実効電圧と、負極性フィールドで印加される電圧の実効電圧との差が調整され、フリッカーの発生を抑えることができる。
【００１２】
また本発明においては、前記制御回路は、前記対向電極に印加される電圧と、前記正極性の電圧の印加時間と前記負極性の電圧の印加時間の比を制御することにより、前記画素に対して前記正極性フィールドで印加される電圧の実効電圧と、前記負極性フィールドで印加される電圧の実効電圧との差を制御する構成としてもよい。
この構成によれば、対向電極の電位と印加時間比を調整することにより、正極性フィールドで印加される電圧の実効電圧と、負極性フィールドで印加される電圧の実効電圧との差が調整され、フリッカーの発生を抑えることができる。
【００１３】
なお、本発明は、電気光学装置のみならず、電気光学装置の制御方法としても、当該電気光学装置を有する電子機器としても概念することが可能である。
【図面の簡単な説明】
【００１４】
【図１】電気光学装置１の構成を示すブロック図。
【図２】電気光学装置１の表示パネル１０の構成を示した図。
【図３】表示パネル１０における画素１１０の構成を示した図。
【図４】走査線駆動回路１３０の動作を示す図。
【図５】表示パネル１０におけるデータ信号の電圧波形例を示す図。
【図６】表示パネル１０におけるデータ信号の電圧波形例を示す図。
【図７】表示領域における画素の書き込みの推移を示す図。
【図８】表示パネル１０の特性を示した図。
【図９】液晶への印加電圧と透過率との関係を示した図。
【図１０】表示パネル１０の明るさと電圧差ＡＣとの関係を示した図。
【図１１】表示パネル１０の明るさと電圧ＤＣ、電圧差ＡＣとの関係を示した図。
【図１２】制御回路５２の処理の流れを示すフローチャート。
【図１３】走査線駆動回路１３０の動作を示す図。
【図１４】表示領域における画素の書き込みの推移を示す図。
【図１５】走査線駆動回路１３０の動作を示す図。
【図１６】表示領域における画素の書き込みの推移を示す図。
【図１７】制御回路５２の処理の流れを示すフローチャート。
【図１８】制御回路５２の処理の流れを示すフローチャート。
【図１９】実施形態に係る電気光学装置を用いたプロジェクターの構成を示す図。
【発明を実施するための形態】
【００１５】
［第１実施形態］
図１は、本発明の第１実施形態に係る電気光学装置１の構成を示したブロック図である。図１に示したように、電気光学装置１は、表示パネル１０と処理回路５０と検出回路７０とに大別される。このうち、表示パネル１０の動作等を制御する回路モジュールである処理回路５０は、制御回路５２、表示データ処理回路５４、および、Ｄ／Ａ変換回路５６を含み、例えばＦＰＣ（flexible printed circuit）基板によって表示パネル１０に接続される。また、検出回路７０は、光センサー７１とコンデンサー７２とＡ／Ｄ変換回路７３を含む。なお、電気光学装置１は、液晶を用いて画像の表示を行う液晶装置の一例である。
【００１６】
制御回路５２は、外部上位装置（図示省略）から供給される同期信号Vsyncに同期して表示パネル１０を制御するための各種の制御信号を生成する。なお、これらの制御信号については適宜後述するものとする。また、制御回路５２は、各種の制御信号を生成するとともに、表示データ処理回路５４を制御する。
【００１７】
表示データ処理回路５４は、外部上位装置から供給される表示データVideoを、制御回路５２による制御にしたがって、一旦内部メモリ（図示省略）に記憶した後、表示パネル１０の駆動に同期して読み出すものである。なお、表示データVideoは、表示パネル１０における画素の階調を指定するデータであり、特に波形については図示しないが、周期１６．７ミリ秒（周波数６０Ｈｚ）で１フレーム分（表示パネル１０の全画素分）を供給する。また、Ｄ／Ａ変換回路５６は、制御回路５２による制御にしたがって、読み出された表示データを、アナログのデータ信号Vidに変換するものである。
【００１８】
次に、表示パネル１０について説明する。図２は、表示パネル１０の構成を示す図である。この図に示されるように、表示パネル１０は、表示領域１００の周辺に走査線駆動回路１３０およびデータ線駆動回路１４０を内蔵した周辺回路内蔵型となっている。表示領域１００では、４８０行の走査線１１２が行（Ｘ）方向に延在するように設けられ、また、６４０列のデータ線１１４が列（Ｙ）方向に延在するように、かつ、各走査線１１２と互いに電気的に絶縁を保つように設けられ、さらに、４８０行の走査線１１２と６４０列のデータ線１１４との交差に対応して、画素１１０がそれぞれ配列している。したがって、本実施形態では、表示領域１００において画素１１０が縦４８０行×横６４０列でマトリクス状に配列することになるが、本発明をこの配列に限定する趣旨ではない。
【００１９】
画素１１０の構成について図３を参照して説明する。図３は、ｉ行及びこれと１行下で隣り合う（ｉ＋１）行と、ｊ列及びこれと１列右で隣り合う（ｊ＋１）列との交差に対応する２×２の計４画素分の構成を示している。なお、ｉ、（ｉ＋１）は、画素１１０が配列する行を一般的に示す場合の記号であって、この説明では、１以上４８０以下の整数である。また、ｊ、（ｊ＋１）は、画素１１０が配列する列を一般的に示す場合の記号であって、１以上６４０以下の整数である。
【００２０】
図３に示されるように、各画素１１０は、ｎチャネル型のＴＦＴ１１６と液晶容量１２０とを含む。ここで、各画素１１０については互いに同一構成なので、ｉ行ｊ列に位置する画素で代表させて説明すると、当該ｉ行ｊ列の画素１１０におけるＴＦＴ１１６のゲート電極はｉ行目の走査線１１２に接続される一方、そのソース電極はｊ列目のデータ線１１４に接続され、そのドレイン電極は液晶容量１２０の一端である画素電極１１８に接続されている。また、液晶容量１２０の他端は、対向電極１０８に接続されている。この対向電極１０８は、全ての画素１１０にわたって共通であって、電圧LCcomが印加されている。
【００２１】
この表示パネル１０は、特に図示しないが、素子基板と対向基板との一対の基板が一定の間隙を保って貼り合わせられるとともに、この間隙に液晶が封止された構成となっている。このうち、素子基板には、走査線１１２や、データ線１１４、ＴＦＴ１１６および画素電極１１８が走査線駆動回路１３０やデータ線駆動回路１４０とともに形成される一方、対向基板に対向電極１０８が形成されて、これらの電極形成面が互いに対向するように一定の間隙を保って貼り合わせられている。このため、本実施形態において液晶容量１２０は、画素電極１１８と対向電極１０８とが電気光学材料の一例である液晶１０５を挟持することによって構成されることになる。
なお、本実施形態では、液晶容量１２０において保持される電圧実効値がゼロに近ければ、液晶容量を通過する光の透過率が最大となって白色表示になる一方、電圧実効値が大きくなるにつれて透過する光量が減少して、ついには透過率が最小の黒色表示になるノーマリーホワイトモードに設定されている。
【００２２】
この構成において、走査線１１２に選択電圧を印加し、ＴＦＴ１１６をオン（導通）させるとともに、画素電極１１８に、データ線１１４およびオン状態のＴＦＴ１１６を介して、階調（明るさ）に応じた電圧のデータ信号を供給すると、選択電圧を印加した走査線１１２とデータ信号を供給したデータ線１１４との交差に対応する液晶容量１２０に、階調に応じた電圧実効値を保持させることができる。したがって、液晶容量１２０を透過する光は、画素毎に異ならせることが可能であり、これにより、表示領域１００において画像が形成される。なお、形成された画像は、使用者に直視され、または、後述するプロジェクターのように拡大投射されて視認される。
【００２３】
なお、走査線１１２が非選択電圧になると、ＴＦＴ１１６がオフ（非導通）状態となるが、このときのオフ抵抗が理想的に無限大とはならないので、液晶容量１２０に蓄積された電荷が少なからずリークする。このオフリークの影響を少なくするために、蓄積容量１０９が画素毎に形成されている。この蓄積容量１０９の一端は、画素電極１１８（ＴＦＴ１１６のドレイン）に接続される一方、その他端は、全画素にわたって容量線１０７に共通接続されている。この容量線１０７は、時間的に一定の電位、例えば対向電極１０８と同じ電圧LCcomに保たれている。
【００２４】
走査線駆動回路１３０は、走査信号G1、G2、G3、・・・、G480を、それぞれ１、２、３、・・・、４８０行目の走査線１１２に供給するものである。ここで、走査線駆動回路１３０は、選択した走査線への走査信号を電圧Vddに相当するＨレベルとし、それ以外の走査線への走査信号を非選択電圧（接地電位Gnd）に相当するＬレベルとする。
【００２５】
図４は、走査線駆動回路１３０により出力される走査信号G1〜G480を、スタートパルスDya、Dybとクロック信号Clyとの関係において示すタイミングチャートである。この図に示されるように、１フレームの期間において走査線１１２は、それぞれ２回選択される。ここで、フレームとは、１枚の画像を表示パネル１０に表示させるのに要する期間をいうが、表示データVideoは、上述したように周期１６．７ミリ秒で供給されるので、１フレームとは、この周期の１６．７ミリ秒と一致する。
制御回路５２は、デューティ比が５０％のクロック信号Clyを、１フレームの期間にわたって走査線数に等しい４８０周期分出力する。なお、図４においては、クロック信号Clyの１周期分の期間をＨと表記している。また、制御回路５２は、クロック信号Clyの１周期分のパルス幅を有するスタートパルスDya、Dybを、それぞれクロック信号ClyがＨレベルの立ち上がり時において、それぞれ次のように出力する。すなわち、制御回路５２は、スタートパルスDyaを１フレームの期間の最初（すなわち第１フィールドの最初）に出力する一方、スタートパルスDybを、スタートパルスDybを出力してからクロック信号Clyの２４０周期分を出力した（すなわち、１フレームの半分期間が経過した）タイミングＴで出力する。ただし、制御回路５２は、後述するように、スタートパルスDybをタイミングＴに対し、クロック信号Clyの周期を単位とした分だけ時間的に前方側または後方側に出力する場合がある。
【００２６】
なお、１フレームの期間のうち、スタートパルスDyaが出力されてからスタートパルスDybが出力されるまでの期間を第１フィールドとし、スタートパルスDybが出力されてから次のスタートパルスDyaが出力されるまでの期間を第２フィールドとしている。
ここで、スタートパルスDya、Dybは交互に出力され、このうち、スタートパルスDyaは、１フレームの開始タイミング、すなわち１６．７ミリ秒毎に出力される。このため、スタートパルスDyaを特定すると、必然的にスタートパルスDybも特定できるので、図１、図２等においては、特に両者を区別することなく、スタートパルスDyとして表記している場合がある。
【００２７】
走査線駆動回路１３０は、このようなスタートパルスDya、Dybおよびクロック信号Clyから、図４に示される走査信号G1〜G480を出力する。すなわち、走査線駆動回路１３０は、走査信号G1〜G480について、スタートパルスDyaが供給されると、クロック信号ClyがＬレベルの期間において順次Ｈレベルとさせる一方、スタートパルスDybが供給されると、クロック信号ClyがＨレベルの期間において順次Ｈレベルとさせる。
このため、スタートパルスDyaの供給によって走査線は、あるフレームの第１フィールドから第２フィールドまでにわたって画面下方向にむかって１、２、３、４、・・・、４８０行目の順番で、クロック信号Clyの半周期の期間をおいて選択される。
一方、スタートパルスDybの供給によって走査線は、あるフレームの第２フィールドから次フレームの第１フィールドまでにわたって画面下方向にむかって１、２、３、４、・・・、４８０行目の順番で、スタートパルスDyaの供給を契機とする選択の合間にて選択されることになる。
【００２８】
データ線駆動回路１４０は、サンプリング信号出力回路１４２と、各データ線１１４にそれぞれ対応して設けられたｎチャネル型のＴＦＴ１４６とによって構成される。サンプリング信号出力回路１４２は、制御回路５２による制御信号Ctrl-xにしたがって図５や図６に示されるように、いずれかの走査線１１２が選択され当該走査線に供給される走査信号がＨレベルとなる期間に、順次排他的にＨレベルとなるサンプリング信号S1、S2、S3、・・・、S640を、データ線１１４の各々に対応するように出力するものである。なお、制御信号Ctrl-xとは、実際にはスタートパルスやクロック信号であるが、本発明では直接関係しないので、説明を省略している。また、走査信号がＨレベルとなる期間は、実際には図５や図６に示されるように、クロック信号Clyの半分周期の期間よりも若干狭められている。
【００２９】
ところで、図１におけるＤ／Ａ変換回路５６は、走査線駆動回路１３０により選択された走査線１１２に位置する画素１行分の表示データVideoを、サンプリング信号出力回路１４２によるサンプリング信号S1〜S640の出力に合わせて次のような極性のデータ信号Vidに変換する。すなわち、Ｄ／Ａ変換回路５６は、クロック信号ClyがＬレベルのときに選択された行に位置する画素のデータ信号Vidについては正極性に、クロック信号ClyがＨレベルのときに選択された行に位置する画素のデータ信号Vidについては負極性に、それぞれ変換する。なお、正極性とは、画素電極１１８への印加電圧を対向電極１０８への印加電圧よりも高位側とする場合をいい、負極性とは、画素電極１１８への印加電圧を対向電極１０８への印加電圧よりも低位側とする場合をいう。
【００３０】
次に、スタートパルスDybの出力タイミングについて説明する。制御回路５２は、スタートパルスDybの出力タイミングを制御する。制御回路５２は、スタートパルスDybの出力タイミングを指定するための値を格納するレジスターを有しており、レジスターに格納された値に応じてスタートパルスDybの出力タイミングを変更する。
【００３１】
まず、制御回路５２は、外部上位装置から供給される表示データVideoを、表示データ処理回路５４の内部メモリに記憶させた後、表示パネル１０においてある行の走査線を選択するとき、当該行の表示データを記憶速度の倍の速度で読み出すとともに、表示データの読み出しに合わせて、サンプリング信号S1〜S640が順番にＨレベルとなるように、制御信号Ctrl-xを介してサンプリング信号出力回路１４２を制御する。なお、読み出された表示データは、Ｄ／Ａ変換回路５６によって、アナログのデータ信号Vidに変換される。
【００３２】
ここで、制御回路５２は、レジスターに格納されている値が「０」であると、タイミングＴにおいてスタートパルスDybを供給する。制御回路５２は、タイミングＴにおいてスタートパルスDybを供給する場合、第１フィールドにおいて、走査線１１２が２４１、１、２４２、２、２４３、３、・・・、４８０、２４０行目という順番で選択される。このため、制御回路５２は、はじめに２４１行目の走査線１１２が選択されるように、走査線駆動回路１３０を制御する。また、制御回路５２は、表示データ処理回路５４に対し、メモリに記憶された２４１行目に相当する表示データVideoを倍速で読み出させ、Ｄ／Ａ変換回路５６に対し、負極性のデータ信号Vidに変換するように制御するとともに、この読み出しに合わせて、サンプリング信号S1〜S640がこの順番で排他的にＨレベルとなるようにサンプリング信号出力回路１４２を制御する。サンプリング信号S1〜S640が順番にＨレベルになると、ＴＦＴ１４６が順番にオンして画像信号線１７１に供給されたデータ信号Vidが１〜６４０列目のデータ線１１４に順番にサンプリングされる。
一方、２４１行目の走査線１１２が選択されて走査信号G241がＨレベルになると、２４１行目に位置する画素１１０におけるＴＦＴ１１６がすべてオンする。このため、データ線１１４にサンプリングされたデータ信号Vidの負極性電圧がそのまま画素電極１１８に印加される。このため、２４１行目であって１、２、３、４、・・・、６３９、６４０列の画素における液晶容量１２０には、表示データVideoで指定された階調に応じた負極性電圧が書き込まれて、保持されることになる。
【００３３】
次に、制御回路５２は、１行目の走査線１１２が選択されるように、走査線駆動回路１３０を制御する。また、制御回路５２は、表示データ処理回路５４に対し、メモリに記憶された１行目に相当する表示データVideoを倍速で読み出させ、Ｄ／Ａ変換回路５６に対し、正極性のデータ信号Vidに変換するように制御するとともに、この読み出しに合わせて、サンプリング信号S1〜S640がこの順番で排他的にＨレベルとなるようにサンプリング信号出力回路１４２を制御する。
１行目の走査線１１２が選択されて走査信号G1がＨレベルになると、１行目に位置する画素１１０におけるＴＦＴ１１６がすべてオンし、これにより、データ線１１４にサンプリングされたデータ信号Vidの電圧が画素電極１１８に印加される。このため、１行目であって１〜６４０列の画素における液晶容量１２０には、表示データVideoで指定された階調に応じた正極性の電圧が書き込まれて、保持されることになる。
【００３４】
以下、第１フィールドにおいては、同様な電圧書込の動作が、２４２、２、２４３、３、・・・、４８０、２４０行目という順番で実行される。これにより、１〜２４０行目の画素に対しては階調に応じた正極性電圧が書き込まれ、２４１〜４８０行目の画素に対しては階調に応じた負極性電圧が書き込まれて、それぞれ保持されることになる。
なお、タイミングＴにおいてスタートパルスDybが供給される場合であれば、第２フィールドにおいて、走査線１１２が１、２４１、２、２４２、３、２４３、４、２４４、・・・、２４０、４８０行目という順番で選択されるともに、同一行における書込極性が反転される。このため、１〜２４０行目の画素に対しては階調に応じた負極性電圧が書き込まれ、２４１〜４８０行目の画素に対しては階調に応じた正極性電圧が書き込まれて、それぞれ保持されることになる。
【００３５】
図５には、第１フィールドにおける（ｉ＋２４０）行目の走査線とｉ行目の走査線とが選択される期間におけるデータ信号Vidの電圧波形の一例が示されている。
この図において、電圧Vb(+)、Vb(-)は、それぞれ最低階調の黒色に相当する正極性、負極性電圧であり、基準電圧Vcを中心に対称の関係にある。基準電圧Vcは、データ信号Vidの振幅中心であり、電圧Vb(+)、Vb(-)の中間の電圧である。なお、本実施形態においては、特に説明のない限り、接地電位Gndを電圧の基準としている。表示データVideoで指定される階調値の十進値が「０」のときに最低階調の黒色を指定し、以後当該十進値が大きくなるにつれて明るい階調を指定する場合、本実施形態はノーマリーホワイトモードであるから、データ信号Vidの電圧は、正極性に変換する場合であれば、階調値が大きくなるにつれて電圧Vb(+)から低位側に振られた電圧となり、負極性に変換する場合であれば、電圧Vb(-)から高位側に振られた電圧となる。
【００３６】
第１フィールドでは、ｉ行目よりも先に（ｉ＋２４０）行目の走査線が選択されるので、走査信号G(i+240)がＨレベルになる期間のうち、例えばサンプリング信号S1がＨレベルになる期間に、データ信号Vidは、ｉ行１列の画素の階調に応じた負極性電圧となり、以降、サンプリング信号の変化に合わせて、２、３、４、・・・、６４０列目の画素の階調に応じた負極性電圧に変化する。
続いて選択されるｉ行目では、正極性書込が指定されるので、走査信号GiがＨレベルになる期間のうち、例えばサンプリング信号S1がＨレベルになる期間に、データ信号Vidは、ｉ行１列の画素の階調に応じた正極性電圧となり、以降、サンプリング信号の変化に合わせて、２、３、４、・・・、６４０列の画素の階調に応じた正極性電圧に変化する。
なお、第２フィールドでは、ｉ行目よりも後に（ｉ＋２４０）行目の走査線が選択されるので、走査信号Giが先にＨレベルになるとともに、書込極性が反転するので、データ信号Vidの電圧波形は図６に示される通りとなる。
図５および図６においてデータ信号Vidの電圧を示す縦スケールは、便宜的に他の信号における縦スケールよりも拡大してある。また、サンプリング信号S640がＬレベルに変化してからサンプリング信号S1がＨレベルに変化するまでの期間にわたって黒色に相当する電圧となっているが、その理由は、タイミングずれなどの理由により誤って画素に書き込まれても、表示に寄与させないためである。
【００３７】
次に図７は、スタートパルスDybがタイミングＴで供給される場合において、各行の書込状態を連続するフレームにわたった時間経過とともに示す図である。この図に示されるように、本実施形態では、第１フィールドにおいて２４１、２４２、２４３、・・・、４８０行目の画素では負極性の書き込みがなされ、１、２、３、・・・、２４０行目の画素では正極性の書き込みがなされて、次の書き込みまで保持される。一方、第２フィールドにおいて１、２、３、・・・、２４０行目の画素では負極性の書き込みがなされ、２４１、２４２、２４３、・・・、４８０行目の画素では正極性の書き込みがなされて、同様に次の書き込みまで保持される。
レジスターの値が「０」であり、スタートパルスDybがタイミングＴで供給される場合、第１および第２フィールドの期間は、クロック信号Clyの２４０周期分であるから、各画素において液晶容量１２０に正極性電圧が保持される期間と負極性電圧が保持される期間とは半分ずつとなる。
【００３８】
ところで、対向電極１０８に印加される電圧LCcomは、図５に示されるように、工場出荷時において、基準電圧Vcよりも低位側に設定される。これは、画素電極をＴＦＴで駆動するアクティブマトリクス型の電気光学装置では、いわゆるプッシュダウンが発生することや、液晶容量のリークが正極性の電圧を保持する場合と負極性の電圧を保持する場合とで異なることなどによる。
仮に電圧LCcomを基準電圧Vcと一致させた場合、負極性書込による液晶容量１２０の電圧実効値が、正極性書込による実効値よりも若干大きくなってしまう（ＴＦＴ１１６がｎチャネルの場合）ので、この差が相殺されるような最適値に、電圧LCcomを基準電圧Vcよりも低位側にオフセットして設定しているのである。
【００３９】
本実施形態において、スタートパルスDybがタイミングＴで供給される場合、第１および第２フィールドの期間は互いに等しく、各画素において液晶容量１２０に正極性電圧が保持される期間と負極性電圧が保持される期間とはフレームの期間の半分ずつとなるので、液晶容量１２０には直流成分が印加されないはずである。しかしながら、経年変化などによりＴＦＴのプッシュダウン量や、液晶容量におけるリーク量が工場出荷時から変化したとき、電圧LCcomは、もはや最適値ではなくなり、液晶容量１２０に直流成分が印加され、正極性電圧を保持している時の実効電圧と、負極性電圧を保持している時の実効電圧とに差が生じ、フリッカーが発生することになる。
また、表示パネル１０は、個々に特性が異なり、レジスターの値を０にしても、一定時間が経過するとフリッカーを最小にする電圧LCcomを増やす必要があるパネルと、フリッカーを最小にする電圧LCcomを減らす必要があるパネルとがある。この場合、レジスターの値を０にしても、フリッカーが発生することになる。
【００４０】
ここで図８は、レジスターの値と、レジスターの値に基づいて電圧を印加して一定時間経過した後に生じるフリッカーについて、フリッカー量を最小にする電圧LCcomの変化量を表した図である。この図において横軸はレジスターの値を表し、レジスターの値が正の場合には正極性電圧の保持期間が長く、レジスターの値が負の場合には負極性電圧の保持期間が長いことを示している。また、縦軸は、一定時間経過した後に、どれだけ電圧LCcomを変更するとフリッカーを最小にするかを表している。図８の（１）のパネルは、レジスターの値が０の時において一定時間が経過した後にフリッカーを最小にするには、電圧LCcomを増やす必要のあるパネルである。図８の（２）のパネルは、レジスターの値が０の時において一定時間が経過した後にフリッカーを最小にするには、電圧LCcomを減らす必要のあるパネルである。
【００４１】
制御回路５２は、実効電圧の差が予め定められた閾値以上となった場合、実効電圧の差が小さくなるように対向電極１０８に印加する電圧LCcomを制御する。この制御を行うのは、画素が正極性電圧を保持している時の実効電圧と、負極性電圧を保持している時の実効電圧との差が大きくなるにつれて画素の明るさの差が大きくなり、この差がフリッカーとして知覚されるようになるためである。
【００４２】
電気光学装置１は、この制御を行うために検出回路７０を備えている。検出回路７０の光センサー７１は、表示パネル１０の明るさを検知するセンサーである。光センサー７１は、フォトダイオードを有しており、フォトダイオードに光が入射すると、フォトダイオードに流れる電流の変化を電流−電圧変換回路により電圧の変化に変換し、表示パネル１０の明るさを示すアナログの信号S1をＡ／Ｄ変換回路７３とコンデンサー７２へ供給する。本実施形態においては、光センサー７１から出力される信号S1は、電圧値によって表示パネル１０の明るさを表しており、検知した明るさに応じて電圧が変化する。コンデンサー７２は、信号S1の直流成分をカットする。コンデンサー７２により直流成分がカットされた信号S2、即ち信号S1の交流成分を表す信号S2は、Ａ／Ｄ変換回路７３に供給される。Ａ／Ｄ変換回路７３は、供給されるアナログの信号S1をデジタル信号である信号S11（第１信号）に変換し、信号S11を制御回路５２へ供給する。またＡ／Ｄ変換回路７３は、供給されるアナログの信号S2をデジタル信号である信号S12（第２信号）に変換し、信号S12を制御回路５２へ供給する。
【００４３】
画素が正極性電圧を保持している時の実効電圧と負極性電圧を保持している時の実効電圧に差が無い場合、表示パネル１０が同じ画像を表示していれば、信号S1の電圧は一定となる。一方、上述したように液晶に直流成分が印加され、画素が正極性電圧を保持している時の実効電圧と負極性電圧を保持している時の実効電圧に差が生じると、画素においては、この差に応じて明るさに差が生じる。画素の明るさに差が生じるようになると、表示パネル１０全体においても、画素が正極性電圧を保持している時と負極性電圧を保持している時とで明るさに差が生じる。これにより信号S1の電圧は、画素が正極性電圧を保持している時と負極性電圧を保持している時とで異なり、信号S11が表す電圧値と信号S12が表す電圧値も画素が正極性電圧を保持している時と負極性電圧を保持している時とで異なることとなる。なお、画素が負極性電圧を保持している時の明るさと負極性電圧を保持している時の明るさの差は、実効電圧の差に対応するため、例えば１フレームの間において得られた信号S12の最大値と最小値の差は、画素が正極性電圧を保持している時の実効電圧と、負極性電圧を保持している時の実効電圧との差に対応することとなる。
【００４４】
また、交流成分がカットされる前の信号S1は、表示パネル１０が暗ければ電圧値が低く、明るくなるにつれて電圧値が高くなる。このため、信号S11が表す電圧値は表示パネル１０の明るさを表すこととなる。なお、表示パネル１０の明るさは表示している画像に応じて変化し、黒の画素が多ければ暗く、中間調の画素や白の画素が多くなるにつれて明るくなるため、信号S1は、表示パネル１０の明るさを示していると共に、表示している画像の内容を示しているともいえる。
【００４５】
制御回路５２は、スタートパルスDyを契機にして予め定められたｎフレーム（ｎは１以上の整数）の間に供給された信号S11が表す電圧値の平均値を求め、求めた平均値を表示パネル１０の明るさを表す電圧ＤＣとする。また、制御回路５２は、スタートパルスDyを契機にして予め定められたｎフレーム（ｎは１以上の整数）の間に供給された信号S12について、信号S12が表す電圧値の最大値と最小値との差（信号S12の波形の波高）を求め、求めた差（波高）を電圧差ＡＣとする。
【００４６】
なお、電圧差ＡＣは、実効電圧の差に応じて値が変化するが、画素に印加される実効電圧の差が同程度であっても、電圧差ＡＣは画素の階調によって異なる。図９は、液晶１０５の印加電圧（Ｖ）と透過率（Ｔ）との関係を示した図である。本実施形態では、液晶１０５をノーマリーホワイトモードとしているので、図９に示されるような特性で表される。画素１１０を、データ信号Vidで指定された階調レベルに応じた透過率とさせるには、当該階調レベルに応じた電圧を、該液晶に印加すれば良いはずである。しかしながら、液晶に直流成分が印加されていると、負極性電圧を印加した時と正極性電圧を印加した時とで液晶に作用する電圧は異なる。
【００４７】
例えば画素電極１１８に電圧V1を印加しても、液晶に直流成分が印加されていると、液晶に作用する電圧は、正極性電圧を印加した時と負極性電圧を印加した時とで電圧V11と電圧V12となる。中間階調においては、液晶に印加する電圧が変化すると透過率の変化も大きいため、液晶に電圧V11が印加された時の透過率と、液晶に電圧V12が印加された時の透過率との差が大きく、透過率の差（画素の明るさの差）は図９に示したようにΔC1となる。
一方、例えば画素電極１１８に画素を白にする電圧V2を印加すると、液晶に同じ直流成分が印加されていても、液晶に作用する電圧は、正極性電圧を印加した時と負極性電圧を印加した時とで電圧V21と電圧V22となる。ここで、電圧V21と電圧V22との電圧差と、電圧V11と電圧V12との電圧差は同じであるものの、透過率が最大に近い範囲においては、液晶に作用する電圧が変化しても透過率の変化は小さいため、液晶に電圧V21が印加された時の透過率と液晶に電圧V22が印加された時の透過率との差が小さく、透過率の差（画素の明るさの差）はΔC1より小さいΔC2となる。
このように正極性電圧印加時と負極性電圧印加時とで液晶に作用する電圧の差が同程度であっても画素の明るさの差は異なるため、表示パネル１０全体においても表示している画像の内容によって明るさの差が異なり、電圧差ＡＣも、明るい画像を表示している時と暗い画像を表示している時とで異なることとなる。
【００４８】
図１０は、実効電圧の差が既定値に達した時の電圧差ＡＣを画像の内容毎に示したものである。また、図１１は、表示領域１００の全ての画素の階調を同一の階調とした画像を表示した場合における、表示パネル１０の明るさと電圧ＤＣとの関係、および実効電圧の差が既定値に達した時の表示パネル１０の明るさと電圧差ＡＣとの関係を示した図である。
実効電圧の差が同じであっても、暗い画像を表示パネル１０が表示している場合、図１１に示したように電圧差ＡＣは小さくなる。また明るい画像を表示パネル１０が表示している場合も、図１１に示したように電圧差ＡＣは小さくなる。また、中間調の画像を表示パネル１０が表示している場合、図１１に示したように電圧差ＡＣは大きくなる。
【００４９】
本実施形態においては、電圧差ＡＣが実効電圧の差に応じて変化するため、電圧差ＡＣが閾値以上となった場合に実効電圧差が既定値以上となったと判断して電圧LCcomを制御する。しかし電圧差ＡＣは実効電圧差が同じであっても上述したように表示パネル１０の明るさによって異なるため、閾値が一つの場合には、電圧差ＡＣから実効電圧の差が閾値以上となったか否かを判断できない。
そこで本実施形態においては、図１０に示したように、電圧ＤＣの範囲を明るさが大の画像（白の画素が多い画像など）、明るさが小の画像（黒の画素が多い画像など）、明るさが中の画像（中間調の画像など）というように３つの範囲に分け、各範囲について実効電圧が既定値となった時の電圧差ＡＣ（図１０のＡＣ１〜ＡＣ３）を測定し、各画像と測定した電圧差ＡＣとを対応付けたＬＵＴ（Look Up Table）５２Ａを記憶している。制御回路５２は、求めた電圧ＤＣから表示画像を特定し、特定した画像に対応付けられている電圧差をＬＵＴ５２Ａから取得する。制御回路５２は、ＬＵＴ５２Ａから取得した電圧差を閾値とし、信号S12から求めた電圧差ＡＣが閾値以上となると、電圧差ＡＣが小さくなるように対向電極１０８に印加する電圧LCcomを制御する。
なお、この閾値は、使用者が表示パネル１０を見た時にフリッカーとして認識されない値に設定されている。また、本実施形態においては、画像の明るさを判断する基準として予め電圧ＤＣ１と電圧ＤＣ２を定め（但し、電圧ＤＣ１＜電圧ＤＣ２）、電圧ＤＣ＜電圧ＤＣ１である場合には明るさが小と判断し、電圧ＤＣ１≦電圧ＤＣ＜電圧ＤＣ２である場合には明るさが中であると判断し、電圧ＤＣ２≦電圧ＤＣである場合には明るさが大であると判断する。また、ＬＵＴ５２Ａから得られる各閾値は、明るさが小の場合（電圧ＤＣ＜電圧ＤＣ１の場合）には電圧差ＡＣ１であり、明るさが中の場合（電圧ＤＣ１≦電圧ＤＣ＜電圧ＤＣ２の場合）には電圧差ＡＣ３であり、明るさが大の場合（電圧ＤＣ２≦電圧ＤＣの場合）には電圧差ＡＣ２である。電圧差ＡＣの大小関係は、図１０に示したように、電圧差ＡＣ３＞電圧差ＡＣ２＞電圧差ＡＣ１であるため、閾値の大小関係は、明るさが中の場合が最も大きく、明るさが小の場合が最も小さく、明るさが大の場合には、電圧ＤＣが中の場合と電圧ＤＣが低の場合との間となる。
【００５０】
次に、制御回路５２が電圧LCcomを制御する時の動作について説明する。図１２は、制御回路５２が行う処理の流れを示したフローチャートである。制御回路５２は、表示パネル１０の駆動を開始するとスタートパルスDybの出力タイミングを指定するためにレジスターに「０」を格納する。また、制御回路は、対向電極１０８の駆動開始時の電圧として、対向電極１０８の電圧を予め定めた電圧LCcomにする。次に、電気光学装置１においては、外部上位装置から同期信号Vsyncと表示データVideoが処理回路５０に供給されると、データ信号Vidが表示パネル１０に供給される。また、制御回路５２は、供給された同期信号Vsyncに応じて表示パネル１０を駆動する。ここで、制御回路５２は、レジスターに格納されている値が「０」であるため、スタートパルスDybをタイミングＴで出力する。
【００５１】
表示パネル１０が駆動されると、光センサー７１により表示パネル１０の明るさが測定され、信号S1がコンデンサー７２とＡ／Ｄ変換回路７３へ供給される。コンデンサー７２からは、信号S1の直流成分をカットした信号S2がＡ／Ｄ変換回路７３へ供給される。Ａ／Ｄ変換回路７３は、供給された信号S1を信号S11に変換し、信号S11を制御回路５２へ供給する。またＡ／Ｄ変換回路７３は、供給された信号S2を信号S12に変換し、信号S12を制御回路５２へ供給する。
【００５２】
制御回路５２は、信号S11と信号S12を取得する（ステップＳＡ１）。制御回路５２は、信号S11と信号S12を取得すると、電圧ＤＣと電圧差ＡＣを求める（ステップＳＡ２）。具体的には、制御回路５２は、スタートパルスDyを契機にして予め定められたｎフレームの間に供給された信号S11が表す電圧値の平均値を求め、求めた平均値を表示パネル１０の明るさを表す電圧ＤＣとする。また、制御回路５２は、スタートパルスDyを契機にして予め定められたｎフレームの間に供給された信号S12の最大値と最小値から電圧差ＡＣを求める。
【００５３】
制御回路５２は、求めた電圧ＤＣから表示されている画像が、明るさが大の画像（白の画素が多い画像など）、明るさが小の画像（黒の画素が多い画像など）、明るさが中の画像（中間調の画像など）のいずれであるか特定し、特定した画像に対応付けられている電圧差ＡＣをＬＵＴ５２Ａから取得して閾値とする（ステップＳＡ３）。制御回路５２は、ＬＵＴ５２Ａから取得した閾値と求めた電圧差ＡＣを比較し、電圧差ＡＣが閾値以上であるか判断する。ここで、求めた電圧差ＡＣが閾値未満である場合には（ステップＳＡ４でＮＯ）、処理の流れをステップＳＡ１に戻す。なお、制御回路５２は、一定時間経過（例えば、数秒〜数分）してから処理の流れをステップＳＡ１に戻すようにしてもよい。
【００５４】
一方、求めた電圧差ＡＣが閾値以上であった場合（ステップＳＡ４でＹＥＳ）、実効電圧の差が小さくなるように、制御回路５２は、対向電極１０８に印加する電圧を増加させる（ステップＳＡ５）。例えば、電圧差ＡＣが閾値となった時の負極性電圧印加時の実効電圧と正極性電圧印加時の実効電圧との差が５０ｍＶである場合、５０ｍＶを対向電極１０８に印加されている電圧LCcomにプラスする。
【００５５】
ここで、正極性電圧印加時の実効電圧が負極性電圧印加時の実効電圧より大きい場合には、正極性電圧印加時の実効電圧と負極性電圧印加時の実効電圧の差が小さくなり、電圧差ＡＣは、閾値以下となる。一方、正極性電圧印加時の実効電圧が負極性電圧印加時の実効電圧より小さい場合には、正極性電圧印加時の実効電圧と負極性電圧印加時の実効電圧の差がさらに大きくなり、電圧差ＡＣは、さらに大きくなる。
【００５６】
次に制御回路５２は、信号S11と信号S12を取得する（ステップＳＡ６）。制御回路５２は、信号S11と信号S12を取得すると、ステップＳＡ２と同様に電圧ＤＣと電圧差ＡＣを求める（ステップＳＡ７）。また、制御回路５２は、ステップＳＡ３と同様に閾値を取得する（ステップＳＡ８）。制御回路５２は、ＬＵＴ５２Ａから取得した閾値と求めた電圧差ＡＣを比較し、電圧差ＡＣが閾値以上であるか判断する。ここで、求めた電圧差ＡＣが閾値未満である場合には（ステップＳＡ９でＮＯ）、処理の流れをステップＳＡ１に戻す。なお、制御回路５２は、ここでも一定時間経過（例えば、数秒〜数分）してから処理の流れをステップＳＡ１に戻すようにしてもよい。
【００５７】
一方、求めた電圧差が閾値以上であった場合（ステップＳＡ９でＹＥＳ）、つまり、ステップＳＡ４でＹＥＳと判断した時点において正極性電圧印加時の実効電圧が負極性電圧印加時の実効電圧より小さく、ステップＳＡ４で対向電極１０８の電圧を増加した結果、電圧差ＡＣが増えた場合、制御回路５２は、対向電極１０８に印加されている電圧を減少させる（ステップＳＡ１０）。例えば、電圧差ＡＣが閾値となった時の負極性電圧印加時の実効電圧と正極性電圧印加時の実効電圧との差が５０ｍＶである場合、１００ｍＶを対向電極１０８に印加されている電圧LCcomからマイナスする。ここで、正極性電圧印加時の実効電圧と負極性電圧印加時の実効電圧の差が小さくなり、電圧差ＡＣは、閾値以下となる。制御回路５２は、ステップＳＡ９の処理を終えると、処理の流れをステップＳＡ１に戻す。
【００５８】
本実施形態によれば、液晶に直流成分が印加されることにより正極性の電圧を印加した時と負極性の電圧を印加した時とで実効電圧に差が生じても、実効電圧の差が少なくなるように対向電極１０８の電圧LCcomが制御されるので、フリッカーの発生を抑えることができる。また、本実施形態においては、画素に光センサーを設けず、表示パネル１０の明るさを検知する光センサー７１で実効電圧に差が生じているか判断できるため、画素に光センサーを設け、調整用の画面を表示する構成と比較すると、簡易な構成でフリッカーの発生を抑えることが可能となっている。
【００５９】
［第２実施形態］
次に、本発明の第２実施形態に係る電気光学装置１について説明する。第２実施形態に係る電気光学装置１は、ハードウェア構成については第１実施形態と同じである。第２実施形態に係る電気光学装置１が第１実施形態に係る電気光学装置１と相違する点は、制御回路５２が行う処理が異なる点にある。したがって、以下においては、この相違点を中心に説明する。
【００６０】
第１実施形態においては、対向電極１０８に印加する電圧LCcomを制御することにより、実効電圧の差が小さくしているが、本実施形態においては、電圧LCcomの制御に加えてスタートパルスDybのタイミングも制御することにより、実効電圧の差が小さくする。制御回路５２は、スタートパルスDybのタイミングを制御するため、スタートパルスDybの出力タイミングを指定するための設定値として、予め定められた第１設定値と第２設定値を記憶している。なお、本実施形態においては、第１設定値は、マイナスの整数の値であり、第２設定値は、プラスの整数の値である。制御回路５２は、レジスターに格納された値に応じてスタートパルスDybの出力タイミングを変更する。以下、スタートパルスDybの出力タイミングについて説明する。
なお、スタートパルスDybの出力タイミングを指定するための設定値である第２設定値は、図８に示した第２設定値であり、（１）と（２）のパネルの両方について、一定時間経過後にフリッカーを最小にするには、電圧LCcomを減らす必要が生じる値である。また、スタートパルスDybの出力タイミングを指定するための設定値である第１設定値は、図８に示した第１設定値であり、（１）と（２）のパネルの両方について、一定時間経過後にフリッカーを最小にするには、電圧LCcomを増やす必要が生じる値である。
【００６１】
本実施形態では、実効電圧の差を小さくするために、レジスターに格納された設定値の値に応じてスタートパルスDybのタイミングを変更し、正極性電圧の印加時間と負極性電圧の印加時間との比を制御することにより、液晶容量１２０への直流成分の印加を制御する。例えば、レジスターに格納された値が「−１」である場合、制御回路５２は、図１３に示されるように、スタートパルスDybを、タイミングＴよりもクロック信号Clyの１周期分だけ早いタイミングＴ(-1)に変更して出力する。すると、第１フィールドの期間はクロック信号Clyの２３９周期分となるのに対し、第２フィールドの期間はクロック信号Clyの２４１周期分となる。これにより、図１４に示されるように、スタートパルスDybの供給を契機とする選択により書き込まれる負極性電圧の保持期間は、スタートパルスDyaの供給を契機とする選択により書き込まれる正極性電圧の保持期間よりも長くなる。したがって、画素においては、負極性電圧で保持された電圧実効値が高められ、正極性電圧で保持された電圧実効値が低められる。
【００６２】
負極性電圧で保持された電圧実効値が正極性電圧で保持された電圧実効値より高くなると、画素は、負極性電圧を保持した時に明るくなり、正極性電圧を保持した時の暗くなる方向に変化する。なお、レジスターに格納した値が「−２」であれば、制御回路５２は、スタートパルスDybを、タイミングＴよりもクロック信号Clyの２周期分だけ早いタイミングに変更して出力する。すると、画素は、レジスターに格納した値が「−１」の場合より、負極性電圧で保持された電圧実効値がさらに高められ、正極性電圧で保持された電圧実効値がさらに低められる。
【００６３】
一方、レジスターに格納した値が「＋１」である場合、制御回路５２は、図１５に示されるように、スタートパルスDybを、タイミングＴよりもクロック信号Clyの１周期分だけ遅いタイミングＴ(+1)に変更して出力する。すると、第１フィールドの期間はクロック信号Clyの２４１周期分となるのに対し、第２フィールドの期間はクロック信号Clyの２３９周期分となる。これにより、図１６に示されるように、スタートパルスDybの供給を契機とする選択により書き込まれる負極性電圧の保持期間は、スタートパルスDyaの供給を契機とする選択により書き込まれる正極性電圧の保持期間よりも短くなる。したがって、画素においては、正極性電圧で保持された電圧実効値が高められ、負極性電圧で保持された電圧実効値が低められる。
【００６４】
正極性電圧で保持された電圧実効値が負極性電圧で保持された電圧実効値より高くなると、画素は、正極性電圧を保持した時に明るくなり、負極性電圧を保持した時に暗くなる方向に変化する。なお、レジスターに格納した値が「＋２」であれば、制御回路５２は、スタートパルスDybを、タイミングＴよりもクロック信号Clyの２周期分だけ遅いタイミングに変更して出力する。すると、画素は、レジスターに格納した値が「＋１」の場合より、正極性で保持された電圧実効値がさらに高められ、負極性で保持された電圧実効値がさらに低められる。
【００６５】
次に、第２実施形態に係わる制御回路５２が行う処理の流れについて、図１７に示したフローチャートを用いて説明する。なお、本実施形態に係る制御回路５２においては、表示パネル１０の駆動を開始してからステップＳＡ９までの処理は、第１実施形態と同じであるため、その説明を省略する。
【００６６】
制御回路５２は、ステップＳＡ９でＮＯと判断すると、正極性電圧の印加時間を増加させる（ステップＳＡ１２）。具体的には、第２設定値をレジスターに格納する。第２設定値がレジスターに格納されると、スタートパルスDybの出力タイミングがタイミングＴより遅くなり、正極性電圧の印加時間が長くなり、負極性電圧の印加時間が短くなる。
一方、ステップＳＡ９でＹＥＳと判断すると、制御回路５２は、対向電極１０８に印加されている電圧を減少させる（ステップＳＡ１０）。また、制御回路５２は、負極性電圧の印加時間を増加させる。具体的には、第１設定値をレジスターに格納する。第１設定値がレジスターに格納されると、スタートパルスDybの出力タイミングがタイミングＴより早くなり、負極性電圧の印加時間が長くなり、正極性電圧の印加時間が長くなる。
【００６７】
本実施形態によれば、液晶に直流成分が印加されることにより正極性の電圧を印加した時と負極性の電圧を印加した時とで実効電圧に差が生じても、実効電圧の差が少なくなるように対向電極１０８の電圧LCcomと、正極性電圧の印加時間および負極性電圧の印加時間とが制御されるので、フリッカーの発生を抑えることができる。また、本実施形態においても、画素に光センサーを設けず、表示パネル１０の明るさを検知する光センサー７１で実効電圧に差が生じているか判断できるため、画素に光センサーを設け、調整用の画面を表示する構成と比較すると、簡易な構成でフリッカーの発生を抑えることが可能となっている。
【００６８】
［第３実施形態］
次に、本発明の第３実施形態に係る電気光学装置１について説明する。第３実施形態に係る電気光学装置１は、ハードウェア構成については第１実施形態と同じである。第３実施形態に係る電気光学装置１が第１実施形態および第２実施形態に係る電気光学装置１と相違する点は、制御回路５２が行う処理が異なる点にある。したがって、以下においては、この相違点を中心に説明する。
【００６９】
図１８は、第３実施形態に係る制御回路５２が行う処理の流れを示したフローチャートである。なお、本実施形態に係る制御回路５２においては、表示パネル１０の駆動を開始してからステップＳＢ４までの処理は、第１実施形態において駆動を開始してからステップＳＡ４までの処理と同じであるため、その説明を省略する。
【００７０】
制御回路５２は、ステップＳＢ４でＮＯと判断すると、レジスターに格納されている値が第１設定値であるか判断する。制御回路５２は、レジスターに格納されている値が第１設定値ではない場合（ステップＳＢ５でＮＯ）、レジスターに第１設定値を格納する（ステップＳＢ７）。一方、ステップＳＢ４でＹＥＳと判断すると、制御回路５２は、第２設定値をレジスターに格納する。
【００７１】
本実施形態においては対向電極１０８の電圧LCcomは制御されないが、正極性電圧の印加時間および負極性電圧の印加時間とが制御されることにより、正極性電圧を印加した時の実効電圧と負極性電圧を印加したときの実効電圧との差が制御されるので、フリッカーの発生を抑えることができる。また、本実施形態においても、画素に光センサーを設けず、表示パネル１０の明るさを検知する光センサー７１で実効電圧に差が生じているか判断できるため、画素に光センサーを設け、調整用の画面を表示する構成と比較すると、簡易な構成でフリッカーの発生を抑えることが可能となっている。
【００７２】
［第４実施形態］
次に、本発明の第４実施形態に係る電気光学装置１について説明する。第４実施形態に係る電気光学装置１は、ハードウェア構成については第１実施形態と同じである。第４実施形態に係る電気光学装置１が第１実施形態乃至第３実施形態に係る電気光学装置１と相違する点は、制御回路５２が行う処理が異なる点にある。したがって、以下においては、この相違点を中心に説明する。
【００７３】
上述した実施形態においては、電圧ＤＣから表示パネル１０に表示されている画像を特定している。例えば、画面の半分が黒、残りの半分が白という画像の場合、電圧ＤＣによる特定では、明るさが中の画像と特定される。この場合、上述した実施形態においては、閾値は図１０に示したＡＣ３になる。しかしながら、実効電圧の差が既定値に達した場合、画面においては白の画素と黒の画素のみであるため、電圧差ＡＣは閾値まで大きくならず図１０に示したＡＣ３未満となる。この場合、実効電圧の差が既定値に達しているにも係わらず、電圧差ＡＣは閾値のＡＣ３に達しないため、実効電圧の差を小さくする制御が行われないこととなる。
【００７４】
そこで本実施形態においては、電圧ＤＣだけでなく電圧差ＡＣも用いて表示パネル１０に表示されている画像を特定する。例えば、電圧ＤＣが、明るさが中の画像を表す電圧である場合、電圧差ＡＣが図１０に示したＡＣ３未満であり且つＡＣ２以上である場合には、表示している画像は、明るさが大の画像であると判断する。この場合、閾値はＡＣ２になる。また、電圧差ＡＣが図１０に示したＡＣ２未満である場合には、表示している画像は、明るさが小の画像であると判断する。この場合、閾値はＡＣ１になる。
【００７５】
なお、白の画素と黒の画素が混在する画像の場合、電圧ＤＣ＝画素が白の領域の割合と考えられるため、閾値＝（電圧ＤＣ／画素が全て白の場合の電圧ＤＣ）×全画素が白で実効電圧の差が既定値に達した時の電圧差ＡＣ、としてもよい。
【００７６】
［電子機器］
次に、上述した実施形態に係る電気光学装置を用いた電子機器の例について説明する。図１９は、上述した電気光学装置１の表示パネル１０をライトバルブとして用いた３板式プロジェクターの構成を示す平面図である。このプロジェクター２１００において、ライトバルブに入射させるための光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００７７】
ここで、ライトバルブ１００Ｒ、１００Ｇおよび１００Ｂの構成は、上述した実施形態における表示パネル１０と同様であり、外部上位装置（図示省略）から供給されるＲ、Ｇ、Ｂの各色に対応する画像データでそれぞれ駆動されるものである。ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、レンズユニット２１１４によって正転拡大投影されるので、スクリーン２１２０には、カラー画像が表示されることとなる。
【００７８】
なお、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂにより形成される画像と、ライトバルブ１００Ｇにより形成される画像とは左右反転の関係にある。
【００７９】
また、光センサー７１Ｒ、７１Ｇおよび７１Ｂの構成は、上述した実施形態における光センサー７１と同様である。なお、光センサー７１Ｒは、Ｒの光に感度があるセンサーである。また、光センサー７１Ｇは、Ｇの光に感度があるセンサーであり、光センサー７１Ｂは、Ｂの光に感度があるセンサーである。光センサー７１Ｒ、７１Ｇおよび７１Ｂは、ダイクロイックプリズム２１１２に配置されており、光センサー７１Ｒは、ダイクロイックプリズム２１１２からのＲの漏れ光を検知する。また、光センサー７１Ｇは、ダイクロイックプリズム２１１２からのＧの漏れ光を検知し、光センサー７１Ｂは、ダイクロイックプリズム２１１２からのＢの漏れ光を検知する。
光センサー７１Ｒから出力される信号S1は、ライトバルブ１００Ｒを具備した電気光学装置１が備えるコンデンサー７２とＡ／Ｄ変換回路７３へ供給される。また、光センサー７１Ｇから出力される信号S1は、ライトバルブ１００Ｇを具備した電気光学装置１が備えるコンデンサー７２とＡ／Ｄ変換回路７３へ供給され、光センサー７１Ｂから出力される信号S1は、ライトバルブ１００Ｂを具備した電気光学装置１が備えるコンデンサー７２とＡ／Ｄ変換回路７３へ供給される。
【００８０】
また、電子機器としては、図１９を参照して説明した他にも、リアプロジェクション型のテレビジョンや、直視型、例えば携帯電話や、パーソナルコンピュータ、ビデオカメラのモニタ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る電気光学装置が適用可能なのは言うまでもない。
【００８１】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００８２】
上述した各実施形態では、電圧無印加状態において白色を表示するノーマリーホワイトモードとしたが、電圧無印加状態において黒色を表示するノーマリーブラックモードとしても良い。
【００８３】
上述した実施形態においては、信号S1の直流成分をコンデンサー７２でカットして電圧差ＡＣを求めているが、コンデンサー７２を用いずに信号S1から電圧差ＡＣを求めるようにしてもよい。
また、上述した実施形態においては、コンデンサー７２で信号S1の直流成分をカットしているが、ハイパスフィルターで信号S1の直流成分をカットする構成としてもよい。
【００８４】
上述した実施形態においては、表示パネル１０の明るさを３段階に分け、各段階で電圧差ＡＣの閾値を定めているが、４段階以上に分けて各段階で電圧差ＡＣの閾値を定めるようにしてもよい。
【符号の説明】
【００８５】
１…電気光学装置、１０…表示パネル、５０…処理回路、５２…制御回路、５２Ａ…ＬＵＴ、５４…表示データ処理回路、５６…Ｄ／Ａ変換回路、７０…検出回路、７１、７１Ｒ、７１Ｇ、７１Ｂ…光センサー、７２…コンデンサー、７３…Ａ／Ｄ変換回路、１００Ｒ、１００Ｇ、１００Ｂ…ライトバルブ、１００…表示領域、１０５…液晶、１０７…容量線、１０８…対向電極、１０９…蓄積容量、１１０…画素、１１２…走査線、１１４…データ線、１１６…ＴＦＴ、１１８…画素電極、１２０…液晶容量、１３０…走査線駆動回路、１４０…データ線駆動回路、１４２…サンプリング信号出力回路、１４６…ＴＦＴ、２１００…プロジェクター、２１０６…ミラー、２１０８…ダイクロイックミラー、２１１２…ダイクロイックプリズム、２１１４…レンズユニット、２１２０…スクリーン、２１２１…リレーレンズ系、２１２２…入射レンズ、２１２３…リレーレンズ、２１２４…出射レンズ
【図１】
2012220632.tif 000003
【図２】
2012220632.tif 000004
【図３】
2012220632.tif 000005
【図４】
2012220632.tif 000006
【図５】
2012220632.tif 000007
【図６】
2012220632.tif 000008
【図７】
2012220632.tif 000009
【図８】
2012220632.tif 000010
【図９】
2012220632.tif 000011
【図１０】
2012220632.tif 000012
【図１１】
2012220632.tif 000013
【図１２】
2012220632.tif 000014
【図１３】
2012220632.tif 000015
【図１４】
2012220632.tif 000016
【図１５】
2012220632.tif 000017
【図１６】
2012220632.tif 000018
【図１７】
2012220632.tif 000019
【図１８】
2012220632.tif 000020
【図１９】
2012220632.tif 000021